(57)【要約】【課題】かご内に閉じ込められた乗客を救出可能にすることができるとともに、かごの天井の上面における作業スペースが狭くなることを防止することができるエレベータのかごを得る。【解決手段】かごの床１に対して固定された巾木台７に着脱可能に設けられた巾木８を備え、巾木８は、床１に設けられる一対の土台部材９と、各土台部材９に支持され、床１に対して立てられる一対の縦部材１０と、各縦部材１０間に渡って設けられ、縦部材１０に沿って並べられる複数の踏段１１とを有している。【選択図】図４
2012046289.tif 000002
【特許請求の範囲】
【請求項１】
かごの床に対して固定された巾木台に着脱可能に設けられた巾木を備え、
前記巾木は、前記床に対して立てられる一対の縦部材と、各前記縦部材間に渡って設けられ、前記縦部材に沿って並べられる複数の踏段とを有していることを特徴とするエレベータのかご。
【請求項２】
前記巾木は、前記床に設けられる一対の土台部材をさらに備え、
前記縦部材は、自立するように各前記土台部材に支持されることを特徴とする請求項１に記載のエレベータのかご。
【請求項３】
前記土台部材および前記縦部材の少なくとも一方は、磁石部を有していることを特徴とする請求項１または請求項２に記載のエレベータのかご。
【請求項４】
前記縦部材は、前記床に対する傾斜角度が変更可能であることを特徴とする請求項１ないし請求項３の何れか１項に記載のエレベータのかご。
【発明の詳細な説明】
【技術分野】
【０００１】
この発明は、かご内に閉じ込められた乗客を救出可能にするエレベータのかごに関する。
【背景技術】
【０００２】
従来、かごの天井の上面に設けられた縄梯子を備えたエレベータの救出装置が知られている。このかごの天井には、救出口が形成され、また、救出口を開閉する開閉蓋が設けられている。かごの上部にいる作業者は、開閉蓋を移動させることにより救出口を開き、救出口を通って縄梯子をかごの床に向かって垂下させる。垂下した縄梯子の下端部がかごの床に固定されることにより、縄梯子がかごに固定される。これにより、かご内に閉じ込められた乗客が救出可能となる（例えば、特許文献１参照）。
【先行技術文献】
【特許文献】
【０００３】
【特許文献１】特開平９−７１３７１号公報
【発明の概要】
【発明が解決しようとする課題】
【０００４】
しかしながら、かごの天井の上面に縄梯子が設けられるので、かごの天井の上面における作業スペースが狭くなってしまうという問題点があった。
【０００５】
この発明は、かご内に閉じ込められた乗客を救出可能にすることができるとともに、かごの天井の上面における作業スペースが狭くなることを防止することができるエレベータのかごを提供するものである。
【課題を解決するための手段】
【０００６】
この発明に係るエレベータのかごは、かごの床に対して固定された巾木台に着脱可能に設けられた巾木を備え、前記巾木は、前記床に対して立てられる一対の縦部材と、各前記縦部材間に渡って設けられ、前記縦部材に沿って並べられる複数の踏段とを有している。
【発明の効果】
【０００７】
この発明に係るエレベータのかごによれば、かごの床に対して固定された巾木台に着脱可能に設けられた巾木を備え、巾木は、床に対して立てられる一対の縦部材と、各縦部材間に渡って設けられ、縦部材に沿って並べられる複数の踏段とを有しているので、巾木を巾木台から取り外し、縦部材間に渡って踏段を取り付け、縦部材を床に対して立てることにより、かご内に閉じ込められた乗客をかごの天井に形成された救出口から救出することができる。また、巾木が、縦部材および踏段を有しているので、かごの天井の上面における作業スペースが狭くなることを防止することができる。
【図面の簡単な説明】
【０００８】
【図１】この発明の実施の形態１に係るエレベータのかごの内部を示す正面図である。
【図２】図１の巾木装置を示す側面図である。
【図３】図２の巾木台から巾木を取り外した状態を示す側面図である。
【図４】図１の巾木から組み立てられた梯子装置を示す斜視図である。
【図５】図１の後壁の下方に設けられた巾木を示す平面図である。
【図６】図５の巾木を示す正面図である。
【図７】図５の隣り合う踏段が離れた状態を示す斜視図である。
【図８】図１の横壁の下方に設けられた巾木８を示す平面図である。
【図９】図８の巾木を示す正面図である。
【図１０】図９の縦部材に対して土台部材を回動させた状態を示す正面図である。
【図１１】図１０の巾木の要部を示す拡大図である。
【図１２】図１１の土台部材をさらに回動させた状態を示す正面図である。
【図１３】図９の土台部材を床に載せた状態における縦部材と土台部材との間の角度を変化させた状態を示す側面図である。
【図１４】図１３の縦部材の端部を示す拡大図である。
【図１５】図１４の回動軸部を中心に磁石部を回動させた状態を示す正面図である。
【図１６】図１５の回動軸部を中心に磁石部をさらに回動させて壁に磁石部を取り付けた状態を示す正面図である。
【図１７】図１３の縦部材に横部材を取り付ける様子を示す斜視図である。
【図１８】図１７の縦部材に踏段を取り付けた状態を示す斜視図である。
【図１９】図１のかご内に閉じ込められた乗客を救出する様子を示す側面図である。
【発明を実施するための形態】
【０００９】
実施の形態１．
図１はこの発明の実施の形態１に係るエレベータのかごの内部を示す正面図である。図において、エレベータのかごは、床１と、床１に対して立てられた壁２と、壁２の上端部に設けられた天井３と、床１と壁２との間に設けられた巾木装置４を備えている。壁２は、互いに対向して設けられた一対の横壁５と、横壁５間に設けられた後壁６とを有している。横壁５は、壁本体５ａと、壁本体５ａに設けられた手摺部５ｂとを有している。天井３は、天井本体３ａと、天井本体３ａに回動可能に設けられた開閉蓋３ｂとを有している。天井本体３ａには、救出口が形成されている。開閉蓋３ｂは、開閉蓋３ｂが回動することにより、天井本体３ａの救出口を開閉する。
【００１０】
図２は図１の巾木装置４を示す側面図である。巾木装置４は、床１に対して固定された巾木台７と、巾木台７に着脱可能に設けられた巾木８とを有している。巾木台７は、巾木台本体７ａと、巾木台本体７ａに固定された取付部材７ｂとを有している。巾木８は、巾木本体８ａと、巾木本体８ａに固定され巾木台本体７ａの取付部材７ｂと係合する取付部材８ｂとを有している。巾木８は、巾木８の取付部材８ｂが巾木台７の取付部材７ｂと係合することにより、巾木台７に取り付けられる。
【００１１】
図３は図２の巾木台７から巾木８を取り外した状態を示す側面図である。巾木８の取付部材８ｂと巾木台７の取付部材７ｂとの係合は、巾木８がかごの内側に向かって移動することにより、解除されるようになっている。巾木８は、巾木８の取付部材８ｂと巾木台７の取付部材７ｂとの係合が解除されることにより、巾木台７から取り外される。
【００１２】
図４は図１の巾木８から組み立てられた梯子装置を示す斜視図である。巾木８は、床１（図１）に設けられる一対の土台部材９と、各土台部材９に支持され、床１に対して立てられる一対の長板形状の縦部材１０と、各縦部材１０間に渡って設けられ、縦部材１０に沿って並べられる複数の踏段１１とを有している。
【００１３】
図５は図１の後壁６の下方に設けられた巾木８を示す平面図、図６は図５の巾木８を示す正面図である。後壁６の下方に設けられた巾木８は、複数の踏段１１が一列に連結されることにより構成されている。図７は図５の隣り合う踏段１１が離れた状態を示す斜視図である。踏段１１は、踏段１１が並べられる方向についての両端部に凹部１１ａおよび凸部１１ｂが形成されている。踏段１１の凸部１１ｂが、この踏段１１に隣り合う踏段１１の凹部１１ａに挿入されることにより、隣り合う踏段１１同士が互いに固定される。
【００１４】
図８は図１の横壁５の下方に設けられた巾木８を示す平面図、図９は図８の巾木８を示す正面図である。横壁５の下方に設けられた巾木８は、縦部材１０と、縦部材１０の端部に取り付けられた土台部材９とから構成されている。縦部材１０の端部には、縦部材１０を貫通した長孔１２が形成されている。長孔１２は、縦部材１０の長手方向に延びた直線部１２ａと、直線部１２ａの端部に設けられ縦部材１０の長手方向と異なる方向に延びた第１の枝部１２ｂ、第２の枝部１２ｃおよび第３の枝部１２ｄとを有している。直線部１２ａに対する第１の枝部１２ｂの傾斜角度は、直線部１２ａに対する第２の枝部１２ｃの傾斜角度よりも大きい。直線部１２ａに対する第２の枝部１２ｃの傾斜角度は、直線部１２ａに対する第３の枝部１２ｄの傾斜角度よりも大きい。また、縦部材１０の端部には、縦部材１０を貫通した丸孔１３が形成されている。丸孔１３は、長孔１２の近くに配置されている。
【００１５】
縦部材１０には、複数の溝１０ａが縦部材１０の長手方向に並んで形成されている。各溝１０ａは、縦部材１０の長手方向に垂直な方向に対して僅かに傾斜している。溝１０ａには、踏段１１の凸部１１ｂが挿入可能となっている。
【００１６】
土台部材９は、長板形状の土台部材本体９ａと、土台部材本体９ａの端部に設けられた第１の突出部９ｂと、第１の突出部９ｂよりも土台部材本体９ａの中心側に設けられた第２の突出部９ｃとを有している。第１の突出部９ｂおよび第２の突出部９ｃは、土台部材本体９ａの同一面上に配置されている。また、第１の突出部９ｂおよび第２の突出部９ｃは、土台部材９の長手方向に並んで配置されている。土台部材９の長手方向が縦部材１０の長手方向と同一方向となっているときに、第１の突出部９ｂおよび第２の突出部９ｃは、直線部１２ａに挿入される。これにより、縦部材１０に対する土台部材９の回動が抑制される。
【００１７】
図１０は図９の縦部材１０に対して土台部材９を回動させた状態を示す正面図である。土台部材９は、第１の突出部９ｂおよび第２の突出部９ｃが直線部１２ａから取り出されることにより、縦部材１０に対して回動可能となる。また、土台部材９は、第１の突出部９ｂが、第１の枝部１２ｂ、第２の枝部１２ｃおよび第３の枝部１２ｄの何れかに挿入され、第２の突出部９ｃが丸孔１３に挿入されることにより、縦部材１０に対して固定される。
【００１８】
図１１は図１０の巾木８の要部を示す拡大図である。第１の突出部９ｂは、土台部材９が回動することにより第１の枝部１２ｂに挿入される。土台部材９は、第２の突出部９ｃが丸孔１３に挿入されることにより、縦部材１０に固定される。図１２は図１１の土台部材９をさらに回動させた状態を示す正面図である。第１の突出部９ｂは、土台部材９が回動することにより第３の枝部１２ｄに挿入される。土台部材９は、第２の突出部９ｃが丸孔１３に挿入されることにより、縦部材１０に固定される。これにより、土台部材９は、縦部材１０と土台部材９との間の角度が調節されて、縦部材１０に固定される。
【００１９】
直線部１２ａに対する第１の枝部１２ｂの傾斜角度は、直線部１２ａに対する第２の枝部１２ｃの傾斜角度よりも大きいので、第１の突出部９ｂが第１の枝部１２ｂに挿入されているときの縦部材１０と土台部材９との間の角度は、第１の突出部９ｂが第２の枝部１２ｃに挿入されているときの縦部材１０と土台部材９との間の角度よりも大きくなる。直線部１２ａに対する第２の枝部１２ｃの傾斜角度は、直線部１２ａに対する第３の枝部１２ｄの傾斜角度よりも大きいので、第１の突出部９ｂが第２の枝部１２ｃに挿入されているときの縦部材１０と土台部材９との間の角度は、第１の突出部９ｂが第３の枝部１２ｄに挿入されているときの縦部材１０と土台部材９との間の角度よりも大きい。
【００２０】
図１３は図９の土台部材９を床１に載せた状態における縦部材１０と土台部材９との間の角度を変化させた状態を示す側面図である。縦部材１０は、床１に対する傾斜角度が変更可能である。第１の突出部９ｂが第３の枝部１２ｄに挿入されているときには、床１に対する縦部材１０の傾斜角度は、ａ°となる。第１の突出部９ｂが第２の枝部１２ｃに挿入されているときには、床１に対する縦部材１０の傾斜角度は、ａ°よりも大きいｂ°となる。第１の突出部９ｂが第１の枝部１２ｂに挿入されているときには、床１に対する縦部材１０の傾斜角度は、ｂ°よりも大きいｃ°となる。
【００２１】
図１４は図１３の縦部材１０の端部を示す拡大図である。縦部材１０は、縦部材本体１４と、縦部材本体１４の長手方向についての両端部のうちの土台部材９から離れた側の端部に設けられた回動軸部１５と、回動軸部１５に設けられた磁石部１６とを有している。溝１０ａ（図１３）は、縦部材本体１４に形成されている。回動軸部１５は、縦部材本体１４から縦部材本体１４の面に垂直な方向に延びて配置されている。磁石部１６は、縦部材本体１４に対して回動自在となっている。また、磁石部１６は、巾木８から梯子装置が組み立てられ、梯子装置が所定の位置に配置されたときに、壁２に当接するようになっている。
【００２２】
図１５は図１４の回動軸部１５を中心に磁石部１６を回動させた状態を示す正面図、図１６は図１５の回動軸部１５を中心に磁石部１６をさらに回動させて壁２に磁石部１６を取り付けた状態を示す正面図である。壁２は鋼鉄製である。磁石部１６は、壁２に近づくことにより、壁２を吸引する。これにより、磁石部１６が壁２に固定される。その結果、縦部材１０が壁２に取り付けられる。
【００２３】
図１７は図１３の縦部材１０に踏段１１を取り付ける様子を示す斜視図、図１８は図１７の縦部材１０に踏段１１を取り付けた状態を示す斜視図である。踏段１１は、縦部材１０の溝１０ａに踏段１１の凸部１１ｂを挿入することにより、縦部材１０に取り付けられる。
【００２４】
次に、梯子装置の組立手順について説明する。まず、巾木８を巾木台７から取り外す。その後、縦部材１０に対して土台部材９を回動させた後、縦部材１０に対して土台部材９を固定する。その後、縦部材１０の溝１０ａに踏段１１の凸部１１ｂを挿入して、踏段１１を縦部材１０に取り付ける。その後、土台部材９を床１に載せる。これにより、梯子装置の組立が終了する。
【００２５】
図１９は図１のかご内に閉じ込められた乗客を救出する様子を示す側面図である。巾木８から梯子装置が組み立てられ、組み立てられた梯子装置を所定の位置に配置されることにより、天井３の救出口からかご内に閉じ込められた乗客が救出可能となる。
【００２６】
以上説明したように、この発明の実施の形態１に係るエレベータのかごによれば、かごの床１に対して固定された巾木台７に着脱可能に設けられた巾木８を備え、巾木８は、床１に対して立てられる一対の縦部材１０と、各縦部材１０間に渡って設けられ、縦部材１０に沿って並べられる複数の踏段１１とを有しているので、巾木８を巾木台７から取り外し、縦部材１０間に渡って踏段１１を取り付け、縦部材１０を床１に対して立てることにより、かご内に閉じ込められた乗客をかごの天井３に形成された救出口から救出することができる。また、巾木８が、縦部材１０および踏段１１を有しているので、かごの天井３の上面における作業スペースが狭くなることを防止することができ、また、かご内にいる利用者が梯子装置を容易に使用することができる。
【００２７】
また、巾木８は、床１に設けられる一対の土台部材９をさらに備え、縦部材１０は、自立するように各土台部材９に支持されるので、かご内において自由な位置に梯子装置を配置することができる。
【００２８】
また、縦部材１０は、磁石部１６を有しているので、壁２を磁性体から構成することにより、縦部材１０を壁２に容易に固定することができる。これにより、梯子装置の安定性および安全性が向上する。
【００２９】
また、縦部材１０は、床１に対する傾斜角度が変更可能であるので、かごの救出口の位置に合わせて、梯子装置の高さを調節することができる。これにより、使用しやすい形に梯子装置を変形させることができる。
【００３０】
なお、上記実施の形態１では、土台部材９、縦部材１０および踏段１１を有した巾木８について説明したが、土台部材９を有さず、縦部材１０および踏段１１を有した巾木８であってもよい。この場合、梯子装置は自立することができないので、縦部材１０を壁２に立てかけることにより、梯子装置が使用可能となる。
【００３１】
また、上記実施の形態１では、縦部材１０が磁石部１６を有する構成について説明したが、縦部材１０が磁石部１６を有さない構成であってもよい。また、縦部材１０が磁石部を有する構成であってもよい。
【符号の説明】
【００３２】
１  床、２  壁、３  天井、３ａ  天井本体、３ｂ  開閉蓋、４  巾木装置、５  横壁、５ａ  壁本体、５ｂ  手摺部、６  後壁、７  巾木台、７ａ  巾木台本体、７ｂ  取付部材、８  巾木、８ａ  巾木本体、８ｂ  取付部材、９  土台部材、９ａ  土台部材本体、９ｂ  第１の突出部、９ｃ  第２の突出部、１０  縦部材、１０ａ  溝、１１  踏段、１１ａ  凹部、１１ｂ  凸部、１２  長孔、１２ａ  直線部、１２ｂ  第１の枝部、１２ｃ  第２の枝部、１２ｄ  第３の枝部、１３  丸孔、１４  縦部材本体、１５  回動軸部、１６  磁石部。
【図１】
2012046289.tif 000003
【図２】
2012046289.tif 000004
【図３】
2012046289.tif 000005
【図４】
2012046289.tif 000006
【図５】
2012046289.tif 000007
【図６】
2012046289.tif 000008
【図７】
2012046289.tif 000009
【図８】
2012046289.tif 000010
【図９】
2012046289.tif 000011
【図１０】
2012046289.tif 000012
【図１１】
2012046289.tif 000013
【図１２】
2012046289.tif 000014
【図１３】
2012046289.tif 000015
【図１４】
2012046289.tif 000016
【図１５】
2012046289.tif 000017
【図１６】
2012046289.tif 000018
【図１７】
2012046289.tif 000019
【図１８】
2012046289.tif 000020
【図１９】
2012046289.tif 000021